(57)【要約】【課題】遊びに起因する騒音を抑制する。【解決手段】伝達装置は、空調装置の操作力を伝達する。伝達装置は、樹脂材料製の平らな基準面５ａと、樹脂材料製の可動部材７とを備える。可動部材７は、少なくともひとつの保持面８ｂによって、基準面５ａから固定の距離の中に保持されている。可動部材７は、基準面５ａに平行に滑って移動可能、および／または、基準面５ａに垂直な軸Ｚ２の周りに回転可能である。可動部材７は、可動部材７と一体的に形成されており、弾性的に変形可能な少なくともひとつの突出部分７ｆを有する。突出部分７ｆは、基準面５ａに当接するように形成されている。突出部分７ｆは、基準面５ａに垂直であって、保持面８ｂに対して指向されている垂直成分を有する反力を可動部材７に作用させる。【選択図】図４
2014145481.tif 000002
【特許請求の範囲】
【請求項１】
操作力を伝達する伝達装置において、
樹脂材料製の平らな基準面（５ａ）と、
少なくともひとつの保持面（８ｂ）によって、前記基準面（５ａ）から固定の距離の中に保持されており、樹脂材料製の可動部材（７）とを備え、
前記可動部材は、前記基準面に平行に滑って移動可能、および／または、前記基準面に垂直な軸（Ｚ２）の周りに回転可能であり、
前記可動部材は、前記可動部材と一体的に形成されており、弾性的に変形可能な少なくともひとつの突出部分（７ｆ）を有し、
前記突出部分は、前記基準面に垂直であって、前記保持面に対して指向されている垂直成分を有する反力を前記可動部材に作用させるように、前記基準面に当接するように形成されていることを特徴とする伝達装置。
【請求項２】
前記突出部分は曲げによって変形可能であることを特徴とする請求項１に記載の伝達装置。
【請求項３】
前記突出部分は、前記基準面と当接するように形成された自由端（７ｇ）を有する片持ち梁の形状であることを特徴とする請求項２に記載の伝達装置。
【請求項４】
前記突出部分は、湾曲していることを特徴とする請求項３に記載の伝達装置。
【請求項５】
前記基準面はそこに一体的に形成されたピン部分（５ｂ）を有し、
前記可動部材は前記ピン部分が内部に挿入される貫通穴（７ｃ）を有することを特徴とする請求項１から請求項４のいずれかに記載の伝達装置。
【請求項６】
前記可動部材は、空調装置のための操作力伝達系統（６、７、８）の部品であることを特徴とする請求項１から請求項５のいずれかに記載の伝達装置。
【請求項７】
前記基準面は、前記空調装置のハウジングの外面に設けられた平面であって、前記軸（Ｚ２）を中心とする円弧状の範囲を含む平面を提供しており、
前記可動部材は、操作力を伝達するための伝達系統を構成する複数の部品のひとつであって、前記軸（Ｚ２）の周りにおいて前記基準面と平行に回転可能であるとともに、隣接して配置された前記伝達系統を構成する他の部品と前記操作力を伝達するために入出力部において関連付けられており、
前記保持面（８ｂ）は前記他の部品によって提供されており、
前記突出部分（７ｆ）は、前記基準面と当接することによって前記可動部材を前記保持面に向けて押すように弾性変形していることを特徴とする請求項６に記載の伝達装置。
【請求項８】
前記可動部材は、前記可動部材の回転方向に沿って離れて配置された複数の前記突出部分を備えることを特徴とする請求項１から請求項７のいずれかに記載の伝達装置。
【請求項９】
前記突出部分は、前記可動部材に設けられた開口部分の縁から当該開口部分の中に向けて延びだすように形成されているとともに、前記開口部分の縁から前記基準面に向けて延びだすように形成されており、前記基準面と垂直な方向に関して前記開口部分の範囲内に位置づけられることによって前記可動部材を形成する樹脂材料によって連続的に一体成形されていることを特徴とする請求項１から請求項８のいずれかに記載の伝達装置。
【発明の詳細な説明】
【技術分野】
【０００１】
ここに開示される発明は、操作力を伝達する伝達装置に関する。この伝達装置は、例えば、空調装置、望ましくは車両用空調装置のための操作力を伝達する伝達装置に利用可能である。より詳細には、遊びを抑制するための弾性部分、言い換えるとバネとも呼びうる部分を有する伝達装置に関する。
【背景技術】
【０００２】
操作力を伝達する伝達装置は、多くの工業分野において利用されている。特に、車両分野においては、空調装置の用途において利用されている。ここで、空調装置は、ＨＶＡＣと呼ばれる装置を含む。ＨＶＡＣは、暖房、換気、および／または冷房といった用途のための装置を指す。このような具体的な用途においては、上述の伝達装置は、操作パネルまたはサーボモータから、空気分配ドアへの操作力伝達系統の一部を形成する。
【０００３】
一般に、既知の装置は、それらの支持部に部品の精密な組付けを実現しておらず、軸方向の遊びをもつ。このような組み付けは、製造工程の都合、および設計上の公差に起因する。典型的には、複数の可動部品は、スナップ連結機構またはネジを用いた手段によってそれらの支持部に装着されている。
【０００４】
この種の装置として例えば特許文献１および特許文献２に開示される装置が知られている。
【先行技術文献】
【特許文献】
【０００５】
【特許文献１】特開２００８−１００６０６号公報
【特許文献２】特開２００８−２６７５２１号公報
【発明の概要】
【発明が解決しようとする課題】
【０００６】
スナップ連結機構は、射出成型工程に関連付けられた公差のばらつきに起因する遊びの増加の可能性に関して欠点を有している。部品間の遊びの修正は、組み立てのための作業力を増加させる干渉を生成し、それ自身の組み立てを困難にすることすらある。ネジを用いる手段は、代わりに、ネジ締め工程に起因する製造サイクルタイムの増加、重量の増加、さらには、問題を引き起こしかねない追加的な部品（ネジ）の管理を必要とするといった欠点を生じる。可動部品とその支持部との間の精密な嵌合の欠如は、一般的に、軸方向の遊びによって、うるさいカタカタ音のような騒音を車両の走行中に引き起こすという不具合をきたす。
【０００７】
ここに開示される発明のひとつの目的は、不可避に存在する遊びの増加を許容しうるように設計された伝達装置を提供することである。
【０００８】
ここに開示される発明の他の目的は、遊びに起因する騒音を抑制することができる生産性に優れた伝達装置を提供することである。
【課題を解決するための手段】
【０００９】
ここに開示される発明は上記目的を達成するために以下の技術的手段を採用する。なお、特許請求の範囲およびこの項に記載した括弧内の符号は、ひとつの態様として後述する実施形態に記載の具体的手段との対応関係を示すものであって、発明の技術的範囲を限定するものではない。
【００１０】
ここに開示される発明のひとつは、空調装置のための操作量を伝達するための伝達装置、ないしはその伝達装置を備える空調装置を提供する。伝達装置は、樹脂材料製の平らな基準面と、樹脂材料製の可動部材とを備える。可動部材は、保持面によって、基準面から所定の距離の中に保持されている。可動部材は、基準面と平行にスライド移動可能、および／または基準面に垂直な軸の周りに回転可能である。
【００１１】
ここに開示される発明においては、可動部材に、少なくともひとつの弾性的に変形可能な突出部分が一体的に設けられる。この突出部分は、基準面に当接するように適合的に形成されている。この突出部分は、可動部材に作用する反力を生じるような態様で基準面に接触し係合する。この反力は、基準面に垂直な垂直成分を有し、この垂直成分は、保持面に対して指向されている。
【００１２】
ここに提案された解決手法によって設計された装置においては、変形可能な突出部分は弾性を有し、可動部材は保持面に対して向かう軸方向に押され、言い換えると付勢される。これにより、装置は部品の間の遊びを抑制、ないしは解消し、その結果、遊びに関連する騒音を抑制、ないしは解消する。
【００１３】
ここに開示される発明の複数の好適な実施形態は従属形式請求項においても明らかにされている。それらは、この開示の不可分の一部をなしているものと解されるべきである。
【００１４】
ここに開示される発明に関連する他の特徴的側面、およびここに開示される発明に関連する装置の有利な効果は、以降における実施形態の詳細な説明によって明白となる。実施形態は添付の図面を参照することによって説明され、それらは純粋に非限定的なものとして提供されている。
【図面の簡単な説明】
【００１５】
【図１】図１は車両用空調装置の側面図である。
【図２】図２は、図１に図示された車両用空調装置の操作力伝達装置の可動部材を示す斜視図である。
【図３】図３は、図１に図示された車両用空調装置の操作力伝達装置の可動部材を示す斜視図であって、図２とは反対の面から見た図である。
【図４】図４は、図１から図３に図示された空調装置および可動部材の詳細な断面図である。
【発明を実施するための形態】
【００１６】
図面を参照しながら、ここに開示される発明を実施するための形態を説明する。各形態において、先行する形態で説明した事項に対応する部分には同一の参照符号を付して重複する説明を省略する場合がある。各形態において、構成の一部のみを説明している場合は、構成の他の部分については他の形態の説明を参照し適用することができる。
【００１７】
図１は、車両のための空調装置１を示す。空調装置１は、暖房、換気、および／または冷房のための装置、すなわちＨＶＡＣ装置とも呼ばれる。空調装置１は、樹脂材料製のハウジング３を有する。
【００１８】
空調装置１は、操作力を伝達するための伝達装置を有する。操作力伝達装置は、図示されない操作パネルからの操作力を、図示されない空気分配用のドアに伝達する。操作力伝達装置は、ハウジング３の壁部分５に搭載されている。図示によって例示された操作力伝達装置は、複数の部品を有する。これらの部品は、分配カム部材６と、分配レバー７と、主歯車８とを含む。これらの部品は、ハウジング３の壁部分５に装着されている。これらの部品は、それぞれのために設けられた回転のための軸Ｚ１、Ｚ２、Ｚ３に関して相対的に回転可能に装着されている。軸Ｚ１、Ｚ２、Ｚ３は、ハウジング３の壁部分５の特定の外面によって提供される平らな基準面５ａに垂直である。
【００１９】
図示の例において、分配カム部材６、分配レバー７、および主歯車８は、ハウジング３の壁部分５の上に一体的に形成されたそれぞれのピン部分に装着されている。図４は、分配カム部材６が装着されるピン部分５ｂと、主歯車８が装着されるピン部分５ｃとを図示している。分配カム部材６と主歯車８とは、それぞれの対応するピン部分５ｂ、５ｃにスナップ連結されている。
【００２０】
図２と図３とは、分配レバー７の互いに反対の方向から別々に見た分配レバー７を図示している。この分配レバー７は、２つの腕部分７ａ、７ｂを提供するＬ字型に近い形状をもつ。２つの腕部７ａ、７ｂは、互いに所定の角度をなすように配置されている。２つの腕部７ａ、７ｂの連結部分には、貫通穴７ｃが形成されている。図４に図示される組み立て後の状態において、貫通穴７ｃに上述のピン部分５ｂが挿入されている。分配レバー７のひとつの腕部７ａは、そこの上に形成されたフォロワピン部分７ｄを有する。フォロワピン部分７ｄは、分配カム部材６の対応付けられたカム面と噛み合うように適合されている。分配レバー７の他のひとつの腕部７ｂは、そこの上に形成された外歯部分７ｅを有する。外歯部分７ｅは、主歯車８と噛み合うように適合的に形成されている。
【００２１】
分配レバー７は軸方向に関して正規の位置に保持されている。言い換えると、分配レバー７は、基準面５ａから所定の固定された距離の中に保持されている。これは、分配レバー７が、軸方向に関して、一方に位置づけられた壁部分５と、他方に位置づけられた分配カム部材６および主歯車８との間に配置されているからである。分配カム部材６および主歯車８は、軸方向における分配レバー７の移動を規制するためのそれぞれの保持面を有する。このために、図４に図示されるように、主歯車８は、主歯車８から径方向に突出するフランジ状部分８ａを有する。フランジ状部分８ａは、分配レバー７の外歯部７ｅに軸方向に関して挿入された保持面８ｂを伴っている。同様の構成が分配カム部材６にも設けられている。
【００２２】
従来の構成においては、上述の構成は、分配レバー７と壁部分５との間のいくらかの軸方向の遊びの影響を受ける。例えば、分配レバー７は、それを回転可能に支持する軸の軸方向に沿ってカタカタと移動可能である。このため、遊びの両端における２つの部材の繰り返し衝突が騒音を生じることがある。
【００２３】
これに対してこの実施形態では、軸方向の遊びが補償される。この実施形態では、分配レバー７に一体的に形成された少なくともひとつの、実施形態では複数である３つの弾性的に変形可能な突出部分７ｆによって軸方向の遊びが補償される。複数の突出部分７ｆは、分配レバー７に作用する反力を生じるように基準面５ａに当接するように適合的に形成されている。反力は、基準面５ａに垂直な垂直成分を含んでいる。この垂直成分は、基準面５ａから離れる方向に指向させられている。よって、この垂直成分は、主歯車８と分配カム部材６とに設けられた保持面、例えば保持面８ｂに対して対向するように指向させられている。これによって、遊びの出現の可能性が抑制、ないしは解消されている。
【００２４】
突出部分７ｆは曲げによって変形可能であることが望ましい。曲げは、突出部分７ｆをその長さ方向の中間部分において弧状またはＬ字状に変形させる。突出部分７ｆは、基準面５ａと当接するように適合的に形成された自由端７ｇを有する片持ち梁の形状であることが望ましい。片持ち梁の形状は、突出部分７ｆが曲げによって変形するために適した形状である。特に、突出部分７ｆは、湾曲していることが望ましい。
【００２５】
突出部分７ｆによって発生した弾性力は、分配レバー７の回転の間中も作用し続ける。しかし、この弾性力は、回転方向の力に関して悪い影響を与えない。実用的な観点からは、突出部分７ｆは、分配レバー７を生産するための成形型を簡単に変形することによって得ることができる。この場合、その部品のコスト、および重量に関して過剰な悪影響を与えることなく突出部分７ｆを得ることができる。
【００２６】
図４は、スナップ連結機構の断面も示している。スナップ連結機構は、２つの部材をパチンと嵌め合わせる機構である。スナップ連結機構は、連結される２つの部品の一方または両方の弾性変形を利用して２つの部材を嵌め合わせ、復元後の形状によって２つの部材の離脱を阻止する。スナップ連結機構は、組み合わせられる２つの部品に設けられた軸または貫通穴を形成する部分であって、その部分の弾性変形によってそれら軸の縮径または貫通穴の拡径を生じさせる弾性変形可能な部分を有する。これらスナップ連結機構の部分は、２つの部品を連結させるときの操作方向（軸方向）への力を受けて、変形するように傾斜面などを備えて形成されている。これらスナップ連結機構の部分は、上記操作方向とは反対の方向への部品の移動を規制し連結状態の解除を阻止する垂直面を含むことができる。
【００２７】
スナップ連結機構は、連結される２つの部品の間に比較的大きい遊びを生じる。この遊びは不可避の遊びであるといえる。遊びは、軸と貫通穴との間の隙間に起因して、可動部材の軸方向への移動を生じる。特に、軸の周りに回転可能な可動部材は、その径方向外側の部位において大きい移動を生じる。突出部分７ｆは、貫通穴７ｃから径方向外側に離れた位置に設けられている。
【００２８】
ハウジング３は、空調のための空気を流す通路を区画形成している。空調装置１は、ハウジング３内にひとつまたは複数の空気流制御装置のドアを有する。ドアは、ハウジング３内に区画形成されたひとつの空気通路の中、または複数の空気通路の間に配置される。ひとつの典型例は、空気分配用のドアである。操作力伝達装置は、操作パネルに与えられる操作力、またはサーボモータが発生する操作力を上記ドアに伝達する。これにより、ドアが求められる位置へ移動する。
【００２９】
図示されるように、突出部分７ｆは、弾性変形前の自然状態において湾曲した形状とすることができる。また、突出部分７ｆは、自然状態では真っ直ぐであり、分配レバー７が正規の組み付け位置に組みつけられた状態において初めて湾曲した形状となってもよい。湾曲した形状は、安定した弾性力の発生に貢献する。突出部分７ｆは、基準面５ａと当接することによって可動部材７を保持面８ｂに向けて押すように弾性変形している。自由端７ｇは、基準面５ａの表面上を滑らかに滑るために基準面５ａと対向する面が曲面によって形成されている。壁部分５の上に位置づけられた基準面５ａは、自由端７ｇの移動軌跡に対応して広がる平面である。基準面５ａは、円弧状に延びる所定幅の扇形部分とすることができる。基準面５ａは、空調装置１のハウジング３の外面に設けられた平面であって、軸Ｚ２を中心とする円弧状の範囲を含む平面を提供している。
【００３０】
突出部分７ｆは、分配レバー７を形成する樹脂材料によって連続的に一体的に形成されている。突出部分７ｆは、分配レバー７に設けられた開口部分に設けられる。突出部分７ｆは、分配レバ−７の回転平面に沿って開口部分の縁から開口部分の中に向けて延びだしている。しかも、突出部分７ｆは、分配レバー７の回転平面に垂直な方向、すなわち基準面５ａと垂直な方向に関して、基準面５ａと垂直な方向に沿って基準面５ａに向けて延びだしている。突出部分７ｆは、基準面５ａと垂直な方向に関して開口部分の範囲内に位置づけられることによって可動部材７を形成する樹脂材料によって連続的に一体成形されている。これにより、分配レバー７の回転平面に垂直な方向に分離される分割型によって突出部分７ｆをインジェクション成形することが可能となる。複数の突出部分７ｆは、貫通穴７ｃを中心として放射状に延びだしている。
【００３１】
複数の突出部分７ｆは、分配レバー７の基準面５ａに対向する対向面上に分散的に配置されている。貫通穴７ｃは分配レバー７の支点を提供する。フォロワピン部分７ｄと外歯部７ｅとは、分配レバー７の力点および作用点を提供し、伝達されるべき操作力の入出力部を提供する。支点である貫通穴７ｃとひとつの入出力部であるフォロワピン部分７ｄとの間に、少なくともひとつの突出部分７ｆが配置されている。支点である貫通穴７ｃとひとつの入出力部である外歯部７ｅとの間に、少なくともひとつの突出部分７ｆが配置されている。貫通穴７ｃと外歯部７ｅとの間には、外歯部７ｅの円弧状の拡がりに対応して、２つの突出部分７ｆが外歯部７ｅの周方向に沿って並べて配置されている。可動部材７は、可動部材７の回転方向に沿って互いに離れて配置された複数の突出部分７ｆを備える。この結果、複数の突出部分７ｆが提供する複数の自由端７ｇも軸Ｚ２を中心とする周方向に沿って互いに離れて配置される。複数の自由端７ｇは、軸Ｚ２からほぼ同じ距離に配置することができる。
【００３２】
突出部分７ｆの配置は、他の可動部材に設けられた保持面に向けて分配レバー７を押し、分配レバー上の接触部分を保持面に接触させ、この接触状態を安定的に維持するために貢献する。例えば、フォロワピン部分７ｄに対応して設けられた突出部分７ｆは、分配カム部材６に設けられた図示されない保持面に、分配レバー７上の部位を押し付けるために貢献する。外歯部７ｅに対応して設けられた２つの突出部分７ｆは、主歯車８に設けられた保持面８ｂに、外歯部７ｅの端面に設けられた分配レバー７上の部位を押し付けるために貢献する。これらの突出部分７ｆの配置は、入出力部における他の部材との連結状態を正規の状態に維持するために貢献する。また、これらの突出部分７ｆの配置は、入出力部に作用する操作力による分配レバー７の傾きを抑制するために貢献する。
【００３３】
分配カム部材６は、その少なくとも一部が分配レバー７の上に覆いかぶさるように、言い換えるとその少なくとも一部が分配レバー７の基準面５ａに対向する面とは反対の反対面の上に覆いかぶさるように形成されている。この覆いかぶさる部分に設けられた分配レバー７に対向する面は保持面を提供する。フランジ部分８ａおよび保持面８ｂと同様の構成が分配カム部材６にも設けられ、存在している。分配カム部材６も、可動部材である分配レバー７の軸方向に関する位置を規定するための保持面を有する。
【００３４】
主歯車８は、その少なくとも一部が分配レバー７の上に覆いかぶさるように、言い換えるとその少なくとも一部が分配レバー７の基準面５ａに対向する面とは反対の反対面の上に覆いかぶさるように形成されている。この覆いかぶさる部分は、フランジ状部分８ａによって提供されている。この覆いかぶさる部分に設けられた分配レバー７に対向する面は保持面８ｂを提供する。図２に図示されるように、外歯部７ｅのほぼ中央部には太い歯が設けられ、両端には細い歯が設けられている。図４に図示されるように、主歯車８のフランジ状部分８ａは、太い歯との干渉を回避するように太い歯の横において径方向外側に延びだしており、細い歯の軸方向において分配レバー７に覆いかぶさるように径方向外側へ延びだしている。このような入出力部は歯車の噛み合いに加えて、太い歯とフランジ状部分８ａとによる噛み合いを提供する。
【００３５】
この構成では、可動部材である分配レバー７は、操作力を伝達するための伝達系統６、７、８を構成する複数の部品のひとつである。分配レバー７は、軸Ｚ２の周りにおいて基準面５ａと平行に回転可能である。分配レバー７は、隣接して配置された伝達系統を構成する他の部品６、８と操作力を伝達するために入出力部７ｄ、７ｅにおいて関連付けられている。操作力伝達系統における３つの部材６、７、８のうち、伝達経路の真ん中に配置された分配レバー７は、伝達経路において分配レバー７の両側に配置された分配カム部材６と主歯車８とによって軸方向の位置が規制されている。保持面８ｂは伝達系統を構成する他の部品によって提供されている。分配レバー７は、分配カム部材６と主歯車８とのいずれか一方だけで軸方向の位置が規制されてもよい。
【００３６】
基準基準面５ａはそこに一体的に形成されたピン部分５ｂを有し、可動部材である分配レバー７はピン部分５ｂが内部に挿入される貫通穴７ｃを有する。さらに、分配レバー７のための保持面を提供する部材である主歯車８および分配カム部材６も、基準面５ａに設けられたピン部分５ａ、５ｃが内部に挿入される貫通穴を有している。可動部材である分配レバー７は、空調装置１のための操作力伝達系統６、７、８に含まれるひとつの部品である。この構成によると、複数の可動部材に別々に生じる軸方向に関する複数の遊びが、ひとつの可動部材に設けた突出部分７ｆによって抑制される。
【００３７】
（他の実施形態）
この開示においては、特定の操作力伝達装置を参照することによって発明が説明された。しかし、ここに開示された発明は、多様な可動部材、またはレバーと呼べる部材に適用可能であることが理解されるべきである。そのような可動部材またはレバーは、少なくともひとつの保持面によって、基準面から固定の距離の中に保持されるように搭載されており、基準面に平行に滑ることができるように、および／または基準面に垂直な軸の周りを回転することができるように搭載されている。
【００３８】
ここに開示される発明は、その発明を実施するための実施形態に何ら制限されることなく、種々変形して実施することが可能である。開示される発明は、実施形態において示された組み合わせに限定されることなく、種々の組み合わせによって実施可能である。実施形態は追加的な部分をもつことができる。実施形態の部分は、省略される場合がある。実施形態の部分は、他の実施形態の部分と置き換え、または組み合わせることも可能である。実施形態の構造、作用、効果は、あくまで例示である。開示される発明の技術的範囲は、実施形態の記載に限定されない。開示される発明のいくつかの技術的範囲は、特許請求の範囲の記載によって示され、さらに特許請求の範囲の記載と均等の意味及び範囲内での全ての変更を含むものと解されるべきである。
【符号の説明】
【００３９】
１  空調装置、  ３  ハウジング、  ５  壁部分、
５ａ  基準面、  ５ｂ  ピン部分、  ５ｃ  ピン部分、  ５ｄ  
６  分配カム部材、  ７  分配レバー、
７ａ、７ｂ  腕部分、  ７ｃ  貫通穴、  ７ｄ  フォロワピン部分、
７ｅ  外歯部分、  ７ｆ  突出部分、  ７ｇ  自由端、
８  主歯車、  ８ａ  フランジ状部分、  ８ｂ  保持面、
Ｚ１、Ｚ２、Ｚ３  回転軸。
【図１】
2014145481.tif 000003
【図２】
2014145481.tif 000004
【図３】
2014145481.tif 000005
【図４】
2014145481.tif 000006